(57)【要約】【課題】  障害者対応用の操作部の向きが変更できる複合機において、障害者の人が装置のところに行き、人間の力で向きを変える動作が必要でない、自動で向きが変わる画像形成装置を提供する。【解決手段】  画像形成装置が無線通信により画像処理装置を使用するユーザの情報、（ユーザIDや身長、障害の有無等）を外部から取得することにより、そのユーザに適した位置にユーザインターフェイスを自動的に移動させるという動作と、操作部を他のユーザが使用しているときには、自動的に移動をさせないという動作を制御可能とし、さらにユーザ情報を外部から取得することでメモリ資源を圧迫しないようにする機能を備える。【選択図】  図１
2006352231.tif 000002
【特許請求の範囲】
【請求項１】
画像データを読み込む画像データ読み込み手段と、
前記画像データを用紙に印刷する印刷手段と、
ＲＦＩＤと通信を行ってICチップの持つ情報を取得する通信手段と
ユーザに画像処理装置への動作指示を可能にするユーザインターフェイス手段と、
前記ユーザインターフェイスの位置を変更する位置制御手段と、
上記の手段を制御するコントローラとを有し、
ＲＦＩＤから取得した情報によって前記ユーザインターフェイスの位置を変更することを特徴とする画像処理装置。
【請求項２】
前記画像処理装置は、前記ユーザインターフェイスが使用中であるか否かを判断するユーザインターフェイス使用状況判断手段を持ち、使用中であると判断した場合は、前記通信手段によって前記ICチップの情報を取得しても、前記位置制御手段によって前記ユーザインターフェイスの位置を変更しないことを特徴とする請求項１に記載の画像処理装置。
【請求項３】
前記画像処理手段は、前記通信手段によって取得した前記ICチップの情報を記憶する記憶手段を持ち、連続して同じ情報を取得した場合は、前記位置制御手段によって前記ユーザインターフェイスの位置を変更しないことを特徴とする請求項１に記載の画像処理装置。
【請求項４】
前記画像処理装置は、前記ユーザインターフェイスが使用中であるか否かを判断するユーザインターフェイス使用状況判断手段を持ち、使用中であると判断した場合は、ユーザに使用中であることを警告する、警告手段を持つことを特徴とする請求項１に記載の画像形成装置。
【請求項５】
前記画像処理装置は、前記ICチップのもつ情報の中に身長情報を含むことを特徴とする請求項１に記載の画像形成装置。
【発明の詳細な説明】
【技術分野】
【０００１】
本発明は、画像処理装置に関し、特に、RFIDを備える画像処理装置に関する。
【背景技術】
【０００２】
従来より、複写機に備わる液晶操作部等の位置や角度を変えることが可能な構成を持たせることで、ユーザに適した位置にユーザインターフェイスを移動させることで、操作性を向上させるシステムが知られており、無線や赤外線によってユーザ検知、ユーザ情報検知を行い、その動作を制御する方法も提案されている。
【０００３】
又、別の従来例としては、特許文献１及び特許文献２をあげることが出来る。
【特許文献１】特開２００４−１４５７９１号公報
【特許文献２】特開２００４−１７０７２６号公報
【発明の開示】
【発明が解決しようとする課題】
【０００４】
しかしながら、ユーザに適していない位置からユーザの適した位置への移動は、そのユーザ自信が行わなければならず、手間がかかるという問題がある。また、車椅子に座った状態からでは届かない場所に操作部などが移動されている場合は、移動させることさえできなくなってしまうという問題が発生する。
【０００５】
また、この問題を解決するために、無線によりユーザの情報を取得し制御を行う場合、ユーザが画像処理装置を使用しているときに、無線により他のユーザの情報を取得してしまった場合、他のユーザに対応した制御を行ってしまうという問題が発生していた。
【０００６】
さらに、無線により、ユーザIDのみを所得して制御を行う場合、画像処理装置内に画像処理装置を使用することが予想されるユーザのデータベースが必要となり、メモリ資源を圧迫するという問題が発生していた。
【課題を解決するための手段】
【０００７】
そこで、画像形成装置が無線通信により画像処理装置を使用するユーザの情報、（ユーザIDや身長、障害の有無等）を外部から取得することにより、そのユーザに適した位置にユーザインターフェイスを自動的に移動させるという動作と、操作部を他のユーザが使用しているときには、自動的に移動をさせないという動作を制御可能とし、さらにユーザ情報を外部から取得することでメモリ資源を圧迫しないようにすることで、この問題を解決する。
【発明の効果】
【０００８】
本発明によって、ユーザの手を煩わせることなく、使用するユーザに最適な位置に、自動的にユーザインターフェイス移動させることが可能となる。
【発明を実施するための最良の形態】
【０００９】
次に、本発明の詳細を実施例の記述に従って説明する。
【実施例１】
【００１０】
以下、本発明にかかる一実施形態について、図面を参照して詳細に説明する。
【００１１】
図1は、本発明の実施形態を示す画像処理装置の一例として多機能周辺機器（MFP :Multi-Function Peripheral）の構成を示す図である。
【００１２】
図1において、101は多機能周辺機器を制御するためのコントローラであり、図2に示すハードウエア構成を有している。102はスキャナエンジンであり、コントローラ101によって制御されている。103はレーザービームプリンタエンジンであり、コントローラ101によって制御されている。103のレーザービームプリンタエンジン1はフィニッシャ104に接続されており、同プリンタエンジンから出力された複数の記録媒体（例えば、紙）をまとめてステープル処理することが可能となっている。フィニッシャ104もコントローラ101によって制御されている。105はネットワークインターフェースであり、コントローラ101に対して同インターフェースを通した双方向通信を提供している。106はユーザインターフェイスであり、LCDディスプレイとキーボードから構成されており、コントローラ101からの情報表示を行うとともにユーザからの指示をコントローラ101に伝える。107はRFIDリーダであり、無線通信によってICチップ情報を得ることができ、コントローラにICチップの情報を送ることができる。
【００１３】
図2は本実施形態のシステム構成を示す図である。図2において、201、202は図1に示す多機能周辺機器（MFP）である。203はホストコンピュータである。MFP201はネットワークインターフェースケーブル204によってMFP202、ホスト203にそれぞれ接続されている。ネットワークケーブル204に接続されているMFP201、202、ホスト203はIPアドレス、ポート番号を指定して接続しIPパケットデータを出力することでデータの送受信を行う。これによってホストからＰＤＬジョブを投入したり、ＭＦＰの情報を吸い上げたりする。
【００１４】
図3は、図1に示す本実施形態のコントローラ101のハードウエア構成を示す図である。コントローラ101の内部では、CPU301がバス309を介して、メモリ302,操作部106を構成する液晶ディスプレイ303及びキーボード304,ROM310, DISK311が接続されている。各種プログラム及びデータは、ハードディスクやフレキシブルディスク等のDISK311（記憶媒体）に記憶されており、必要に応じて順次メモリ302に読み出されてCPU301で実行される。このDISK311は、MFPに着脱可能でもMFPに内蔵されたものでも良い。更に、プログラムは、ネットワークを介して他のMFPからダウンロードされてDISK311に記憶される構成でも良い。
【００１５】
液晶ディスプレイ303、キーボード304は図1に示す操作部106を構成するものであり、CPU301がディスプレイ303にデータを書き込むことにより表示を行い、CPU301がキーボード304からデータを読み出すことにより、ユーザからの指示を入力する。
【００１６】
また、バス309には、ネットワークインターフェース305が接続されており、図1に示すネットワークインターフェース105に対応する。CPU301がインターフェースからデータを読み込みまたは書き込むことによりインターフェースを使用した通信を行う。RFIDリーダ312もバスにつながっており、無線通信の結果をコントローラに送ることができる。
【００１７】
更に、バス309には、プリンタ306, フィニッシャ307,スキャナ308,が接続されており、これらは、図1に示すプリンタ103,フィニッシャ104,スキャナ102に対応するものであり、CPU301がこれらのエンジンに対してデータの読み書きを行うことによりプリント・スキャンなどのエンジン動作および各種ステータス取得を行う。なお、プリンタ306, フィニッシャ307,スキャナ308は、MFPの内部ではなく、ネットワーク上にそれぞれ単体の周辺機器として存在し、それをMFPのコントローラ101が制御しても良い。
【００１８】
MFPの概観を図4に示す。画像入力デバイスであるスキャナ部401は、原稿となる紙上の画像を照明し、CCDラインセンサを走査することで、ラスターイメージデータとして電気信号に変換する。
【００１９】
画像出力デバイスであるプリンタ部402は、ラスターイメージデータを用紙上の画像に変換する部分である。プリント動作の起動や停止は、コントローラCPU301からの指示によって開始する。
【００２０】
無線通信部であるRFIDリーダ404は複写機の正面に取り付けられ、無線通信によって情報を得る。
【００２１】
この画像処理の操作部は上下に昇降可能になっており、操作部を下げた時のイメージを405に示す
操作部403の構成を図5に示す。液晶表示部501は、液晶上にタッチパネルシートが貼られており、システムの操作画面およびソフトキーを表示するとともに、表示してあるキーが押されるとその位置情報をコントローラCPU301に伝える。スタートキー502は原稿画像の読み取り動作を開始する時などに用いる。スタートキー502中央部には、緑と赤の2色LED503があり、その色によってスタートキー502が使える状態にあるかどうかを示す。ストップキー504は稼働中の動作を止める働きをする。テンキー505は部数などの数値入力をおこなう。506はランプであり、ジョブ実行中は緑点滅、ジャムなどの障害が発生しているときは赤点滅し、ユーザに状況を通知する。
【００２２】
図6においてスキャナ部401の詳細な説明を行う、原稿603上の情報は原稿読み取り装置619の露光部613に対して原稿603を相対的に移動させながら読み取られる。原稿603は原稿トレイ602にセットされる。原稿給紙ローラ604は分離パッド605と対になっていて、原稿603を一枚ずつ搬送する。搬送された原稿603は中間ローラ606で装置内に送られ、大ローラ608と第1従動ローラ609によって搬送され、さらに大ローラ608と第2従動ローラ610とによって搬送される。大ローラ608と第2従動ローラ610とで搬送された原稿603は、流し読み原稿ガラス612と原稿ガイド板617との間を通り、ジャンプ台618を経由して、大ローラ608と第3従動ローラ611とにより搬送される。大ローラ608と第3従動ローラ611とにより搬送された原稿603は原稿排紙ローラ対607により装置外に排出される。なお流し読み原稿ガラス612と原稿ガイド板617との間では原稿603は原稿ガイド板617によって流し読みガラス612に接触する形で搬送される。
【００２３】
原稿603は流し読み原稿ガラス612上を通過する際に、流し読み原稿ガラス612に接している面が露光部613によって露光される。その結果得られる原稿603からの反射光がミラーユニット614に伝達される。伝達された反射光はレンズ615を通過して集光されCCDセンサ部616にて電気信号に変換される。
【００２４】
図7において、プリンタ部402の詳細な説明を行う。この図はフルカラー画像形成装置の一例を示す。感光ドラム701は一次帯電気711により特定の極性電位に帯電処理され、図示しない露光手段によって712の矢印の位置が露光される。このようにして第一の色成分に対応した静電潜像が形成される。その後、702の四つある現像機中の一つの現像機を使用して現像される。中間転写ベルト703は矢印の方向に駆動され、感光ドラム上に形成された第一の色成分画像が、感光ドラムと中間転写ベルトの接合部分を通る過程で一次転写ローラ710によって形成された電界によって中間転写ベルトに転写される。中間転写ベルトに転写を終えた感光ドラムの表面はクリーニング装置704によって清掃される。この処理を順次繰り返し、四色の画像を中間転写ベルトに重ね合わせて、カラー画像を形成する。単色の画像を形成する場合は一度だけ転写処理を行う。中間転写ベルト703に転写された画像は二次転写ローラ709部分でカセット705より給紙された用紙に印刷される。画像が印刷された用紙は定着機706で加熱され定着される。定着後、排紙口707まで用紙が搬送され機外に排出される。両面印刷を行う場合は、反転パス708をとおって用紙を循環させ、印刷処理を繰り返す。
【００２５】
図8において無線通信部の説明を行う。この図はRFIDリーダとRFIDタグのハード構成を示すブロック図である。リーダライタ801から電流を流すと、802コイルにより磁界806が発生する。磁界806によってコイル803から電磁誘導により電流が発生し、回路804が駆動される。回路が駆動されると、回路はメモリ805からデータを読み出し、読み出し結果を返信するためにコイル803に電流を流す。コイル802から電磁誘導により電流が発生し、その値を読み取ることにより、リーダライタ801はメモリ805のデータを取得することができる。
【００２６】
図９はカード型の社員証にアンテナとICチップが組み込まれた外観を示す。901はＩＣチップである。902はコイル状のアンテナである。この構成がカード内に組み込まれている。ＩＣチップ内には903に示されるような情報が格納されている
図10において初期動作の説明を行う。図10のようにICチップを所有したユーザが画像形成装置に近づくと初期動作が開始される。
【００２７】
初期動作の処理フローを図１１に示す。ステップ1101で有効なICチップ情報が認識されるまで、1101の処理を繰り返す。1101でICチップ情報が認識できた場合は、読み取ったICチップ情報がすでに記憶されているものか否かをステップ1102で確認する。すでに記憶されているものであれば、現在、そのICチップ情報に基づいての動作を行っていることになるので、初期動作を行わず、ステップ1101に処理を戻す。ステップ1102で記録されていないと判断されれば、ステップ1103で操作部が使用中であるかを判断する。操作部が使用されていると判断された場合はステップ1105でユーザに初期動作を行えないことをワーニングとして通知する。例えば図示しないスピーカーからビープ音を鳴らす、ランプ506を点滅させるといった動作で通知する。ステップ1103で操作部が使用中でないと判断された場合はステップ1104で受信したICチップ情報を記録する。次にステップ1106で操作部を使用中状態にする。その後ステップ1107で操作部の移動処理を起動する。移動処理は11-2のフローチャートで示す動作を行う。ステップ1107の起動後、ステップ1107の処理終了を待たずにステップ1101に処理を戻す。
【００２８】
次にステップ1107の処理を11-2を使用して説明する。処理が開始されるとステップ1108でICチップ情報にある身長の情報や車椅子使用の有無を確認し、最適な位置へ操作部を移動する。
【００２９】
図１２は、操作部を表す図である。次にステップ1109で操作部を使用するか否かを判断する。操作部移動後に操作部には12-3のような表示が行われ、OKボタン1205が押下されれば、操作部は使用中となる。キャンセル1206が押下されれば操作部を使用しないことになる。また、この画面は数秒間でタイムアウトが発生し、操作部を使用しないことになる。未使用と判断された場合はステップ1112で操作部を未使用状態にし、ステップ1113で操作部を元に位置に戻し処理を終了する。ステップ1109で操作部を使用すると判断された場合は、ステップ1110で任意のジョブを実行し、その後ステップ1111で記憶したICチップ情報を一定時間後に削除するようにする。これは、ジョブを終了し、画像処理装置から離れようといているユーザのICチップ情報をすぐにRFIDリーダで読み込んでしまい、再びそのユーザの設定にあわせて操作部の移動処理をしてしまわないようにするための処理である。ステップ1111の処理終了後にステップ1112、1113を行い処理を終了する。
【００３０】
また、操作部には12-1に示されるように、操作部占有ボタン1201があり、このボタンを押下することで、操作部を使用中の状態にすることが可能になっている。このボタンが押下されている間は、ステップ1103で使用中の判断となる。
【００３１】
さらに、操作部占有ボタンが押されていたり、操作部が使用中の状態である場合に、新たなICチップ情報を読み込むと操作部には12-2に示す画面が、表示され現在使用しているユーザに対して、他のユーザに操作部を渡しても良いかを確認することが出来る。OKボタン1203が押下されれば、操作部を渡してもよいということなので、操作部が未使用状態となる。キャンセルボタン1204が押下されれば操作部を渡すことが出来ないということなので、操作部は使用中状態のままになる。また、この画面は数秒間でタイムアウトが発生し、数秒間ボタンが押下されなければOKボタンと同じ効果になる。
【００３２】
以上説明したように、本発明の実施形態によれば、ICチップ情報がRFIDリーダによって読み込まれたときに、操作部を最適なポジションに移動する自動初期動作を行わせることが可能となり、ユーザの負荷を減らすことが可能となる。
【００３３】
また、操作部が使用中である場合には初期動作をしないという制御を行わせ、その状況を、ビープ音やランプにより通知することで、他のユーザの操作部業務を阻害することなく円滑に自動初期動作を行うことが可能になる。
【００３４】
さらに、初期動作に必要な情報は外部のICチップから取得するので、ユーザの情報を保存するためのデータベースを持つ必要がなく、メモリ資源を圧迫しなせずに画像形成装置を運用できるようになる。
【図面の簡単な説明】
【００３５】
【図１】構成
【図２】システム構成
【図３】ハードウエア構成
【図４】MFP外観
【図５】操作部
【図６】スキャナ構成
【図７】プリンタ構成
【図８】RFID構成
【図９】ICチップ
【図１０】イメージ図
【図１１】フローチャート
【図１２】操作部
【符号の説明】
【００３６】
101  コントローラ
102  スキャナエンジン
103  プリンタエンジン
104  フィニッシャ
105  ネットワークインターフェイス
106  操作部
107  ＲＦＩＤリーダ
201  MFP
202  MFP
203  ホスト
204  ネットワークケーブル
301  CPU
302  メモリ
303  液晶ディスプレイ
304  キーボード
305  ネットワークインターフェイス
306  プリンタ
307  フィニッシャ
308  スキャナ
309  バス
310  ROM
311  DISK
312  RFIDリーダ
401  スキャナ外観
402  プリンタ外観
403  操作部外観
304  RFIDリーダ
501  液晶部外観
502  スタートキー
503  LED
504  ストップキー
505  テンキー
506  ランプ
602  原稿台
603  原稿
604  原稿給紙ローラー
605  分離パッド
606  中間ローラー
607  原稿排紙ローラー
608  大ローラー
609  第1従動ローラー
610  第2従動ローラー
611  第3従動ローラー
612  流し読み原稿ガラス
613  露光部
614  ミラーユニット
615  レンズ
616  CCD
617  原稿ガイド板
618  ジャンプ台
619  原稿読取装置
701  感光ドラム
703  中間転写ベルト
704  クリーニング装置
705  カセット
706  定着期
707  排紙口
708  反転パス
709  二次転写ローラー
710  一次転写ローラー
713  排紙口  714  バッファパス
801  リーダーライター
802  コイル
803  コイル
804  回路
805  メモリ
901  ICチップ
902  アンテナ
903  データ
【図１】
2006352231.tif 000003
【図２】
2006352231.tif 000004
【図３】
2006352231.tif 000005
【図４】
2006352231.tif 000006
【図５】
2006352231.tif 000007
【図６】
2006352231.tif 000008
【図７】
2006352231.tif 000009
【図８】
2006352231.tif 000010
【図９】
2006352231.tif 000011
【図１０】
2006352231.tif 000012
【図１１】
2006352231.tif 000013
【図１２】
2006352231.tif 000014